(57)【要約】    【課題】テレビ視聴中に電話の着信があっても、使用者が番組を見逃すことなく視聴することができる携帯機器を提供する。    【解決手段】  テレビ視聴中に着信があった場合は、自動的に留守番電話モードとなって、発呼者に対して「電話に出られない旨」が伝えられる。これによって、使用者は電話着信の有無を気にすることなくテレビの視聴を続けることができる。また、メモリカード４０９で、受信中のテレビ放送の録画が行われていれば、着信があった場合でも通常通りに着信音が鳴動する。これによって使用者は電話に出て電話の応対することができ、その間のテレビ番組は録画されるので見逃すことはなくなる。【選択図】        図７
2006067331.tif 000002
【特許請求の範囲】
【請求項１】
放送を受信する放送受信手段と、着呼側に対して電話の着信を通知する第一の着信通知モードを有する電話機手段とを備えた携帯機器において、
着信時に前記放送受信手段が放送を受信中であるか否かを判定する判定手段と、
着信時に前記放送受信手段が放送を受信中であると判定されたときは、前記電話機手段の動作モードを、前記第一の着信通知モードとは異なる第二の着信通知モードに切り替える切り替え手段とを備えたことを特徴とする携帯機器。
【請求項２】
放送を受信する放送受信手段と、着呼側に対して電話の着信を通知する第一の着信通知モードを有する電話機手段とを備えた携帯機器において、
着信時に前記放送受信手段が放送を受信中であるか否かを判定する第一の判定手段と、
着信時に前記放送受信手段が放送を受信中であると判定されたときは、前記電話機手段の動作モードを、前記第一の着信通知モードとは異なる第二の着信通知モードに切り替える切り替え手段と、
前記放送受信手段の受信内容を記録する放送記録手段と、
前記放送記録手段が動作中であるか否かを判定する第二の判定手段とを備え、
前記放送記録手段が動作中であるときには前記第二の着信通知モードへの切り替えを行わないように構成としたことを特徴とする携帯機器。
【請求項３】
前記放送記録手段の動作中に前記電話機手段による通話が開始された場合は、前記放送記録手段の記録内容中に、該着信に関する情報を示すマーカを付加することを特徴とする請求項２に記載の携帯機器。
【請求項４】
前記第二の着信通知モードは、発呼側に対して所定のメッセージを通知することを特徴とする請求項１乃至３のいずれかに記載の携帯機器。
【請求項５】
前記第二の着信通知モードは、当該携帯機器本体内または前記電話機手段の通信経路上に設けられた音声記録手段に発呼側の伝言を記録することを特徴とする請求項４に記載の携帯機器。
【請求項６】
前記放送受信手段の受信内容を表示する放送表示手段を備え、
前記第二の着信通知モードは、前記放送表示手段を用いて電話の着信を通知することを特徴とする請求項１乃至５のいずれかに記載の携帯機器。
【請求項７】
放送を受信する放送受信手段と、着呼側に対して電話の着信を通知する第一の着信通知モードを有する電話機手段とを備えた携帯機器の制御方法であって、
着信時に前記放送受信手段が放送を受信中であるか否かを判定する判定工程と、
着信時に前記放送受信手段が放送を受信中であると判定されたときは、前記電話機手段の動作モードを、前記第一の着信通知モードとは異なる第二の着信通知モードに切り替える切り替え工程とを実行することを特徴とする携帯機器の制御方法。
【請求項８】
放送を受信する放送受信手段と、前記放送受信手段の受信内容を記録する放送記録手段と、着呼側に対して電話の着信を通知する第一の着信通知モードを有する電話機手段とを備えた携帯機器の制御方法であって、
着信時に前記放送受信手段が放送を受信中であるか否かを判定する第一の判定工程と、  前記放送記録手段が動作中であるか否かを判定する第二の判定工程と、
着信時に前記放送受信手段が放送を受信中であると判定されたときは、前記電話機手段の動作モードを、前記第一の着信通知モードとは異なる第二の着信通知モードに切り替え、前記放送受信手段が放送を受信中であり且つ前記放送記録手段が動作中であるときは、前記第二の着信通知モードへの切り替えを行わないように制御する制御工程とを実行することを特徴とする携帯機器の制御方法。
【請求項９】
放送を受信する放送受信手段と、着呼側に対して電話の着信を通知する第一の着信通知モードを有する電話機手段とを備えた携帯機器の制御方法を実行するための、コンピュータで読み取り可能な制御プログラムであって、
着信時に前記放送受信手段が放送を受信中であるか否かを判定する判定ステップと、
着信時に前記放送受信手段が放送を受信中であると判定されたときは、前記電話機手段の動作モードを、前記第一の着信通知モードとは異なる第二の着信通知モードに切り替える切り替えステップとを実行することを特徴とする制御プログラム。
【請求項１０】
放送を受信する放送受信手段と、前記放送受信手段の受信内容を記録する放送記録手段と、着呼側に対して電話の着信を通知する第一の着信通知モードを有する電話機手段とを備えた携帯機器の制御方法を実行するための、コンピュータで読み取り可能な制御プログラムであって、
着信時に前記放送受信手段が放送を受信中であるか否かを判定する第一の判定ステップと、
前記放送記録手段が動作中であるか否かを判定する第二の判定ステップと、
着信時に前記放送受信手段が放送を受信中であると判定されたときは、前記電話機手段の動作モードを、前記第一の着信通知モードとは異なる第二の着信通知モードに切り替え、前記放送受信手段が放送を受信中であって且つ前記放送記録手段が動作中であるときは、前記第二の着信通知モードへの切り替えを行わないように制御する制御ステップとを実行することを特徴とする制御プログラム。
【発明の詳細な説明】
【技術分野】
【０００１】
本発明は、テレビ視聴機能等を有する携帯電話機などの携帯機器及びその制御方法、並びに制御プログラムに関するものである。
【背景技術】
【０００２】
近年、携帯電話が普及し、またテレビ受信機の小型化が進んでいる。テレビ受信機はポケットサイズ型も登場し、携帯電話には、カラー液晶を搭載している機種も出てきている。そして両者の機能を融合したテレビ受信機能を内蔵した携帯電話が発売されるに至っている（例えば特許文献１参照）。
【特許文献１】特開２００４−１８７２６９号公報
【発明の開示】
【発明が解決しようとする課題】
【０００３】
しかしながら、上記従来のテレビ受信機能付き携帯電話では、使用者がテレビ視聴中に着信があって通話を行った場合、その間は番組を見ることができない状態となって不便であった。
【０００４】
本発明は上記従来の問題点に鑑み、テレビ視聴中に電話の着信があっても、使用者が番組を見逃すことなく視聴することができる携帯機器及びその制御方法、並びに制御プログラムを提供することを目的とする。
【課題を解決するための手段】
【０００５】
本発明は上記目的を達成するため、放送を受信する放送受信手段と、着呼側に対して電話の着信を通知する第一の着信通知モードを有する電話機手段とを備えた携帯機器において、着信時に前記放送受信手段が放送を受信中であるか否かを判定する判定手段と、着信時に前記放送受信手段が放送を受信中であると判定されたときは、前記電話機手段の動作モードを、前記第一の着信通知モードとは異なる第二の着信通知モードに切り替える切り替え手段とを備えたことを特徴とする。
【０００６】
また、本発明は、放送を受信する放送受信手段と、着呼側に対して電話の着信を通知する第一の着信通知モードを有する電話機手段とを備えた携帯機器において、着信時に前記放送受信手段が放送を受信中であるか否かを判定する第一の判定手段と、着信時に前記放送受信手段が放送を受信中であると判定されたときは、前記電話機手段の動作モードを、前記第一の着信通知モードとは異なる第二の着信通知モードに切り替える切り替え手段と、前記放送受信手段の受信内容を記録する放送記録手段と、前記放送記録手段が動作中であるか否かを判定する第二の判定手段とを備え、前記放送記録手段が動作中であるときには前記第二の着信通知モードへの切り替えを行わないように構成としたことを特徴とする。
【０００７】
また、本発明は、放送を受信する放送受信手段と、着呼側に対して電話の着信を通知する第一の着信通知モードを有する電話機手段とを備えた携帯機器の制御方法であって、着信時に前記放送受信手段が放送を受信中であるか否かを判定する判定工程と、着信時に前記放送受信手段が放送を受信中であると判定されたときは、前記電話機手段の動作モードを、前記第一の着信通知モードとは異なる第二の着信通知モードに切り替える切り替え工程とを実行することを特徴とする。
【０００８】
また、本発明は、放送を受信する放送受信手段と、前記放送受信手段の受信内容を記録する放送記録手段と、着呼側に対して電話の着信を通知する第一の着信通知モードを有する電話機手段とを備えた携帯機器の制御方法であって、着信時に前記放送受信手段が放送を受信中であるか否かを判定する第一の判定工程と、  前記放送記録手段が動作中であるか否かを判定する第二の判定工程と、着信時に前記放送受信手段が放送を受信中であると判定されたときは、前記電話機手段の動作モードを、前記第一の着信通知モードとは異なる第二の着信通知モードに切り替え、前記放送受信手段が放送を受信中であり且つ前記放送記録手段が動作中であるときは、前記第二の着信通知モードへの切り替えを行わないように制御する制御工程とを実行することを特徴とする。
【０００９】
また、本発明は、放送を受信する放送受信手段と、着呼側に対して電話の着信を通知する第一の着信通知モードを有する電話機手段とを備えた携帯機器の制御方法を実行するための、コンピュータで読み取り可能な制御プログラムであって、着信時に前記放送受信手段が放送を受信中であるか否かを判定する判定ステップと、着信時に前記放送受信手段が放送を受信中であると判定されたときは、前記電話機手段の動作モードを、前記第一の着信通知モードとは異なる第二の着信通知モードに切り替える切り替えステップとを実行することを特徴とする。
【００１０】
また、本発明は、放送を受信する放送受信手段と、前記放送受信手段の受信内容を記録する放送記録手段と、着呼側に対して電話の着信を通知する第一の着信通知モードを有する電話機手段とを備えた携帯機器の制御方法を実行するための、コンピュータで読み取り可能な制御プログラムであって、着信時に前記放送受信手段が放送を受信中であるか否かを判定する第一の判定ステップと、前記放送記録手段が動作中であるか否かを判定する第二の判定ステップと、着信時に前記放送受信手段が放送を受信中であると判定されたときは、前記電話機手段の動作モードを、前記第一の着信通知モードとは異なる第二の着信通知モードに切り替え、前記放送受信手段が放送を受信中であって且つ前記放送記録手段が動作中であるときは、前記第二の着信通知モードへの切り替えを行わないように制御する制御ステップとを実行することを特徴とする。
【発明の効果】
【００１１】
本発明によれば、放送を受信中に電話の着信があっても、使用者は放送を見逃すことなく視聴することが可能になる。
【発明を実施するための最良の形態】
【００１２】
本発明の携帯機器及びその制御方法、並びに制御プログラムの実施の形態について、図面を参照しながら説明する。本実施形態の携帯機器は、例えばテレビ受信機能付き携帯電話機などに適用される。
【００１３】
［第１の実施の形態］
図１は、本発明の第１の実施の形態に係る携帯機器であるテレビ受信機能付き携帯電話機の構成を示すブロック図である。
【００１４】
このテレビ受信機能付き携帯電話は、地上アナログテレビ放送を受信するアンテナ１０１で受信した電波を検波し映像信号及び音声信号を出力するテレビチューナ１０２と、電話の音声信号を送受信する携帯電話ＲＦ部１０３とを備えている。携帯電話ＲＦ部１０３には、電話の着信時に着信を知らせるための呼び鈴音を発生する着信サウンダ１０４が接続されている。
【００１５】
テレビチューナ１０２の出力側には、映像信号切り替えスイッチ１０５を介して液晶ドライバ１１０と液晶ディスプレイ１０９が順次接続されている。映像信号切り替えスイッチ１０５は、テレビ受信時とその他の場合に、前記テレビチューナ１０２からの映像信号と後述のＵＩ画面ジェネレータ１０６からの画像信号とを切り替え、その切り替え信号を液晶ドライバ１１０側へ出力する。ＵＩ画面ジェネレータ１０６は、テレビ受信時以外の通話時又は着信待機時に液晶ディスプレイ１０９に表示させる文字情報もしくは操作画面を生成し、その画像信号を出力する。液晶ドライバ１１０は、映像信号切り替えスイッチ１０５から出力される信号を液晶ディスプレイ１０９で表示できる映像信号に変換する。
【００１６】
一方、携帯電話ＲＦ部１０３の出力側には、音声信号切り替えスイッチ１０７を介して音声Ｄ／Ａ（デジタル／アナログ）コンバータ１１３が接続され、この音声Ｄ／Ａコンバータ１１３がイヤフォン端子１１２を介してスピーカ１１７に接続されている。音声信号切り替えスイッチ１０７は、前記テレビチューナ１０２からの音声信号と、携帯電話ＲＦ部１０３又は音声記録メモリ１０８からの音声信号とを切り替え、音声Ｄ／Ａコンバータ１１３側へ出力する。音声記録メモリ１０８は、使用者が着信した電話に出られない場合などに発呼者の音声メッセージを記録するメモリである。音声Ｄ／Ａコンバータ１１３は、切り替えスイッチ１０７からの音声信号をアナログ化してイヤフォン端子１１２へ出力し、スピーカ１１７は、イヤフォン端子１１２にイヤフォンが接続されていない時に、音声Ｄ／Ａコンバータ１１３からの音声信号を出力する。
【００１７】
そして、テレビ視聴時には、切り替えスイッチ１０５，１０７が共にテレビチューナ１０２側に接続され、テレビチューナ１０２から出力された映像信号は、切り替えスイッチ１０５を介して液晶ドライバ１１０へ送られ、液晶ディスプレイ１０９で表示される一方、テレビチューナ１０２から出力された音声信号は、切り替えスイッチ１０７を介して音声Ｄ／Ａコンバータ１１３へ送られ、スピーカ１１７等によって音声再生される。
【００１８】
また、電話の通話時には、使用者の音声を拾うマイクロフォン１１８からの音声信号が、音声Ａ／Ｄ（アナログ／デジタル）コンバータ１１４によってデジタル化されて携帯電話ＲＦ部１０３へ送られて無線送信される一方、携帯電話ＲＦ部１０３で受信した音声信号が、切り替えスイッチ１０７を介して音声Ｄ／Ａコンバータ１１３へ送られ、スピーカ１１７等によって音声再生される。
【００１９】
メインマイコン１１１は、システム全体の制御を行うと共に、後述の操作キー１１５の操作を受け付け、その操作又は状態に応じて携帯電話ＲＦ部１０３、映像信号切り替えスイッチ１０５、及び音声信号切り替えスイッチ１０７を制御する。このメインマイコン１１１には、使用者の操作を受け付ける操作キー１１５のほか、メインマイコン１１１の状態を記憶するＥＥＰＲＯＭ１１６が接続されている。
【００２０】
図２は、図１に示したテレビ受信機能付き携帯電話機の正面外観を示す外観図である。
【００２１】
このテレビ受信機能付き携帯電話機には、図１に示したテレビ放送受信アンテナ１０１とスピーカ１１７が機器上部に取り付けられている。そして、液晶ディスプレイ１０９が配置され、その上部が機器の状態を表示する機器状態表示部２０３となっている。
【００２２】
液晶ディスプレイ１０９から更に下部には、操作キー１１５のキースペースが配置されている。このキースペースには、ジョイスティック２０５、ＴＶキー２０６、及び電話キー２０７が配置されている。ここで、ジョイスティック２０５は、テレビ受信時にはチャンネル切り替え、その他の場合には電話帳の呼び出しや各種設定操作を行う機能を有する。また、ＴＶキー２０６は、テレビ受信の開始／終了を行うためのキーであり、電話キー２０７は、携帯電話としての操作全般を行うためのキーである。
【００２３】
そして、機器本体の側面にはイヤフォン端子１１２が設置され、また機器本体の最下部にはマイクロフォン１１８が配置されている。
【００２４】
次に、以上のように構成されるテレビ受信機能付き携帯電話機の動作について、図３を参照して説明する。図３は、第１の実施の形態の動作を示すフローチャートである。このフローを実現するシーケンスはメインマイコン１１１によって実行される。
【００２５】
シーケンスがスタートすると、まずステップＳ３０２において着信待機の状態に入り、次のステップＳ３０３において着信があるか否かのチェックが行われる。着信があると、ステップＳ３０４へ進んで使用者がテレビを視聴しているか否かのチェックが行われ、視聴していなければ、ステップＳ３０５へ進んで呼び鈴（着信サウンダ１０４）が鳴動し、使用者に着信を知らせる。このとき、切り替えスイッチ１０５はＵＩ画面ジェネレータ１０６側に接続され、また切り替えスイッチ１０７は携帯電話ＲＦ部１０３側に接続されている。
【００２６】
使用者が電話に出ると、ステップＳ３０６において通話開始が検出され、マイクロフォン１１８及びスピーカ１１７を使用した通話状態に入る。その後、使用者もしくは発呼者が電話を切ると、ステップＳ３０７において通話の終了が検出され、再びステップＳ３０３に戻り、着信の待機状態に戻る。
【００２７】
一方、前記ステップＳ３０３において着信が検出され、前記ステップＳ３０４において使用者がテレビ視聴中であることが検出されると、本実施の形態の特徴とするシーケンスに入る。このとき、切り替えスイッチ１０５，１０７は共にテレビチューナ１０２側に接続されている。
【００２８】
まずステップＳ３０８において留守番告知送信が行われ、あらかじめ音声記録メモリ１０８などに記録された音声メッセージが発呼者に対して送信される。この音声メッセージは、例えば使用者が電話に出られない旨を伝えるメッセージである。音声メッセージの送信後、所定時間が経過すると（ステップＳ３０９）、ステップＳ３１０において発呼者の音声の記録が開始され、発呼者からの伝言が音声記録メモリ１０８に記録される。そして、発呼者が電話を切ると、ステップＳ３１１において通話の終了が検出され、再びステップＳ３０３に戻り、着信の待機状態に戻る。
【００２９】
このように本実施の形態では、テレビ視聴中に着信があった場合は、自動的に留守番電話モードとなって、発呼者に対して「電話に出られない旨」が伝えられるので、使用者は、電話着信の有無を気にすることなくテレビの視聴を続けることができる。
【００３０】
なお、本実施の形態では、テレビ視聴をしているか否かを検出して、その検出結果によって自動的に留守番電話に切り替えるように制御したが、テレビ視聴を優先し留守番電話に切り替えるテレビ視聴優先モード、及びテレビ視聴をしていても着信動作を優先する着信動作優先モード、といったユーザが選択可能な２つのモードを用意し、テレビ視聴を検出した場合に、設定されているモードに応じて切り替えるようにしても良い。
【００３１】
また、前記ステップＳ３０３において着信が検出された場合、発呼者の電話番号（図４（ａ）の１１）、発呼者の名前等の文字列（図４（ｂ）の１２）、又は発呼者に対応する顔画像（図４（ｃ）の１３）をＵＩ画面ジェネレータ１０６によって生成し、液晶ディスプレイ１０９上に表示しているテレビ受信画面にオンスクリーン表示する構成としても良い。この時、所定時間内であれば電話に出ることができる構成としても良い。発呼者に対応する顔画像（図４（ｃ）の１３）を表示する場合は、テレビ受信画面に重畳するときにテレビ受信画面の妨げにならないように顔画像を透過表示させても良い。なお、図４（ａ），（ｂ），（ｃ）は、テレビ受信画面に電話の着信をオンスクリーン表示して通知する例を示した外観図である。
【００３２】
［第２の実施の形態］
図５は、本発明の第２の実施の形態に係るテレビ受信機能付き携帯電話機の構成を示すブロック図であり、図１と共通の要素には同一の符号を付し、その説明を省略する。
【００３３】
本実施の形態の構成が上記第１の実施の形態と異なる点は、第１に、地上アナログテレビ放送用のテレビチューナに代えて、地上デジタルテレビ放送用のテレビチューナ／デコーダ４０２を備えたことである。すなわち、テレビチューナ／デコーダ４０２は、地上デジタルテレビ放送を受信するアンテナ４０１で受信したデジタルテレビ電波を検波し、さらにデコードを行ってデジタル映像信号及びデジタル音声信号を出力する機能を有する。
【００３４】
第２に、ＭＰＥＧコーデック４０５を備えていることである。ＭＰＥＧコーデック４０５は、前記テレビチューナ／デコーダ４０２からのデジタル映像信号及びデジタル音声信号をメモリカード４０９に記録するためのＭＰＥＧ符号化を行い、またメモリカード４０９から読み出したＭＰＥＧ符号データを元のデジタル映像信号及びデジタル音声信号に復号化するものである。
【００３５】
図６は、第２の実施の形態に係るテレビ受信機能付き携帯電話機の正面外観を示す外観図であり、図２と共通の要素には同一の符号を付し、その説明を省略する。
【００３６】
本実施の形態におけるテレビ受信機能付き携帯電話機の外観の特徴は、メモリカード４０９を機器本体に脱着可能にする部材５００が設置されている点であり、他の機器外観は図２と同じである。
【００３７】
次に、以上のように構成される第２の実施の形態に係るテレビ受信機能付き携帯電話機の動作について、図７を参照して説明する。図７は、第２の実施の形態の動作を示すフローチャートであり、図３と共通のステップには同一の符号を付し、その説明を省略する。このフローを実現するシーケンスは、メインマイコン１１１によって実行される。
【００３８】
シーケンスがスタートすると、ステップＳ３０２〜ステップＳ３０７では、第１の実施の形態と同じ処理を実行する。そして、電話を着信した後、ステップＳ３０４において使用者がテレビを視聴しているか否かのチェックが行われ、視聴していれば、本実施の形態の特徴とするシーケンスに入る。
【００３９】
まずステップＳ６０８においては、受信しているテレビ放送をメモリカード４０９に録画中であるかが検出される。なお、本実施の形態では、受信しているテレビ放送は、ＭＰＥＧコーデック４０５によってＭＰＥＧ４形式に符号化され、メモリカード４０９へ記録が行われる。
【００４０】
録画が行われている場合は、ステップＳ６０９において呼び鈴（着信サウンダ１０４）が鳴動し、使用者に着信を知らせる。使用者が電話に出るとステップＳ６１４において通話開始が検出され、通話状態に入る。同時に、ステップＳ６１５において、録画中の放送データに着信時刻を示すインデックスマーカが付加される。
【００４１】
使用者もしくは発呼者が電話を切ると、ステップＳ３０７において通話の終了が検出され、再びステップＳ３０３に戻り、着信の待機状態に戻る。また前記ステップＳ６０８において録画されていないことが検出されると、第１の実施の形態のステップＳ３０８〜ステップＳ３１１と同様の処理が実行される。すなわち、留守番告知送信が行われ、発呼者に対して「使用者が電話に出られない旨」を伝える、あらかじめ準備された音声メッセージが送信される。
【００４２】
このように第２の実施の形態では、受信しているテレビ放送の録画が行われていれば、電話の着信があった場合でも通常通りに着信音が鳴って電話に出ることができるので、電話の応対をしても、その間のテレビ番組は録画されるので見逃すことはなくなる。
【００４３】
なお、上記第２の実施の形態において、テレビ放送の録画が終了した後、前記インデックスマーカの位置をサーチし、その位置から自動的に録画されたデータの再生が行われるような構成としても良い。また、テレビ録画中の通話後の前記ステップＳ３０７において通話終了が検出された後に、テレビ放送の録画は継続したままで前記インデックスマーカの位置からの再生が始まる構成としても良い。
【００４４】
また、上記第２の実施の形態において、前記ステップＳ３０３において電話の着信が検出されて、テレビ放送の録画が行われていない場合には（ステップＳ６０８がＮＯ）、上記第１の実施の形態と同様に、発呼者の電話番号（図４（ａ）の１１）、発呼者の名前等の文字列（図４（ｂ）の１２）、又は発呼者に対応する顔画像（図４（ｃ）の１３）をテレビ受信画面にオンスクリーン表示する構成としても良い。この時、所定時間内であれば電話に出ることができる構成としても良い。さらに、発呼者に対応する顔画像（図４（ｃ）の１３）を表示する場合は、テレビ受信画面に重畳するときにテレビ受信画面の妨げにならないように顔画像を透過表示させても良い。
【００４５】
また、上記第１及び第２の実施の形態において、発呼者からの伝言メッセージを、機器本体に内蔵している音声記録メモリ１０８に記録しているが、電話の交換局側でメッセージセンターの方へ発呼者からの電話を転送し、該メッセージセンターにおいて伝言メッセージの記録を行う構成としても良い。
【００４６】
また、地上アナログテレビ放送や地上デジタルテレビ放送以外の他の方式のテレビチューナによる構成を採っても良い。
【００４７】
なお、本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００４８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、不揮発性メモリを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００４９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００５０】
【図１】本発明の第１の実施の形態に係る携帯機器であるテレビ受信機能付き携帯電話機の構成を示すブロック図である。
【図２】図１に示したテレビ受信機能付き携帯電話機の正面外観を示す外観図である。
【図３】第１の実施の形態の動作を示すフローチャートである。
【図４】テレビ受信画面に電話の着信をオンスクリーン表示して通知する例を示した外観図である。
【図５】本発明の第２の実施の形態に係るテレビ受信機能付き携帯電話機の構成を示すブロック図である。
【図６】第２の実施の形態に係るテレビ受信機能付き携帯電話機の正面外観を示す外観図である。
【図７】第２の実施の形態の動作を示すフローチャートである。
【符号の説明】
【００５１】
１０１，４０１  テレビ受信アンテナ
１０２  テレビチューナ
１０３  携帯電話ＲＦ部
１０４  着信サウンダ
１０５  映像切り替えスイッチ
１０６  ＵＩ画面ジェネレータ
１０７  音声切り替えスイッチ
１０８  音声記録メモリ
１０９  液晶ディスプレイ
１１１  メインマイコン
４０２  テレビチューナ／デコーダ
４０５  ＭＰＥＧコーデック
４０９  メモリカード
【図１】
2006067331.tif 000003
【図２】
2006067331.tif 000004
【図３】
2006067331.tif 000005
【図４】
2006067331.tif 000006
【図５】
2006067331.tif 000007
【図６】
2006067331.tif 000008
【図７】
2006067331.tif 000009